(57)【特許請求の範囲】
【請求項１】
建物の外壁内に設けられて室内側と室外側を連通するダクト内に嵌挿される本体筒部と、本体筒部の室外側端部に支持部材を介して室外に設けられる遮蔽部とを備えた換気用ベントキャップであって、前記本体筒部の室外側開口部から室外側に突出させて円筒状のカラーが設けられ、前記カラーは本体筒部と軸心が一致し、かつその前縁が前記遮蔽部と略同一径であるとともに、前記カラーは、前記本体筒部の前記室外側開口部から前記室外側へ突出している略同一径の円筒である第１のカラー部と、前記第１のカラー部から延設されて前記遮蔽部側に拡大径となる第２のカラー部とからなり、前記遮蔽部は、前記室内からの汚れた排気流が、面に沿ってガイドされ、前記遮蔽部の外周縁から離れる際、外周方向よりも前記室外側に角度を有して流れるような前記外周縁から中心部に向かうにしたがって前記室内側に厚みが増加する突形状部を有することを特徴とする換気用ベントキャップ。
【請求項２】
本体筒部の室外側開口部の室外側に外径が遮蔽部の径より小さく、かつ内径が本体筒部の内径より大きい枠部を設けた請求項１記載の換気用ベントキャップ。
【発明の詳細な説明】
【技術分野】
【０００１】
本発明は、住宅等の室内空気を室外に換気するときに、建物の外壁部分に設置される換気用ベントキャップに関する。
【背景技術】
【０００２】
従来、この種の換気用ベントキャップとして室内側に風雨の吹き込みを防止する遮蔽板を設けた換気用ベントキャップが知られている（例えば、特許文献１参照）。
【０００３】
以下、そのベントキャップについて図７を参照しながら説明する。
【０００４】
図に示すように、円筒状の本体筒１０１の室外側端部前方に、支持部材１０２により風雨侵入防止の遮蔽板１０３を設けてなる換気用ベントキャップにおいて、遮蔽板１０３は実質的に平板状であり、一方、本体筒１０１の前端開口の周縁には外向けフランジ１０４が形成され、この外向けフランジ１０４は前方に突出してガイド枠１０５が取り付けられ、このガイド枠１０５は円筒状の枠フランジ１０５ａと前方に拡径して突出するカラー１０５ｂとならなり、カラー１０５ｂはその前縁が、風雨侵入防止のために遮蔽板１０３よりも内側に位置している。
【特許文献１】特開平８−２４０３３１号公報（００１０段落、００１１段落、図１）
【０００５】
また、風雨侵入防止のために別の形状をした防風板を備えた換気用ベントキャップとして、特許文献２の換気用ベントキャップが知られている。その換気用ベントキャップについて図８を参照しながら説明する。
【０００６】
図に示すように、建築物の壁１１０に設けられた通気ダクト１１１に嵌入されるダクト接続用筒部材１１２と、ダクト接続用筒部材１１２に固定され壁１１０の室外側に取り付けられる換気用ベントキャップ本体１１３と、換気用ベントキャップ本体１１３に周設され換気用ベントキャップ本体１１３から突出するとともに、室外側に向かって広くなるテーパ状カバー１１４と、換気用ベントキャップ本体１１３の正面から風雨が吹き込まないような位置で換気用ベントキャップ本体１１３の室外側を覆うとともに、換気用ベントキャップ本体１１３およびテーパ状カバー１１４との間に通風用の空間を有するように配設される防風板１１５とを備え、防風板１１５の周縁は室外側に向かって屈曲するとともに、テーパ状カバー１１４の室外側の周縁の内側に位置する構成としている。
【特許文献２】特開２０００−３２０８７０号公報（第３頁第４欄、図２）
【発明の開示】
【発明が解決しようとする課題】
【０００７】
このような従来の換気用ベントキャップにおいて、特許文献１に記載された換気用ベントキャップでは、降雨時の雨の侵入においては効果があるが、換気用ベントキャップの主目的である換気をした際には、室内側の汚れた空気は本体筒１０１を通り、遮蔽板１０３に当たり、その方向を遮蔽板１０３の外周方向に向きを変えられ、室外に排気する。このとき、遮蔽板１０３に当たった空気は遮蔽板１０３によって跳ね返され、外壁面に向かう排気流となる。室内から排気される空気が汚れている場合には、その排気流が汚れているので、その汚れた排気流が外壁面に当たると外壁面が汚れてしまう。さらに、排気流の風速が高いときには、外壁面に跳ね返される排気流が多くなり、より一層、排気流によって外壁面が汚れてしまう。
【０００８】
また、特許文献２に記載された換気用ベントキャップでは、テーパ状カバー１１４の周縁が防風板１１５よりも外側に位置することによって圧力損失を小さくするための効果はあるが、室内からの排気流は、テーパ状カバー１１４の内周面を通過するため、この内周面が汚れることとなる。このような場合、壁に設置された換気用ベントキャップを正面から見たときには、テーパ状カバー１１４の汚れた内周面が見えるため、排気流によって汚れた換気用ベントキャップとなり、換気用ベントキャップの外観が悪くなるばかりか、換気用ベントキャップが設置された外壁自体の外観を悪くしてしまう。
【０００９】
一方、近年住宅の気密化によって換気扇を常時運転することが義務づけられており、特許文献１に記載された換気用ベントキャップでは、汚れた排気流が常時壁に当たり続け、外壁が汚れることとなってしまう。また、特許文献２に記載された換気用ベントキャップにおいては、外壁に設置された換気用ベントキャップの内面の汚れが見えることにより、換気用ベントキャップ、さらには外壁自体の外観を悪くしてしまう。
【００１０】
このような従来の換気用ベントキャップでは、排気流が遮蔽板に跳ね返され汚れた排気流が外壁に当たり、外壁を汚してしまうという課題があった。また、換気用ベントキャップの防風板がテーパ状カバーより小さい場合には、換気用ベントキャップの汚れ自体が見えてしまい、さらには外壁自体の外観を損なうという課題があり、換気用ベントキャップが設置された外壁全体に汚れを付着させず、かつ、見えないようにする換気用ベントキャップが要求されている。
【００１１】
本発明は、従来のこのような課題を解決するものであり、換気口の前面に遮蔽板があっても、排気流が遮蔽板によって跳ね返されないで外壁を汚すのを防止でき、また正面から換気用ベントキャップを見ても、汚れた部位を覆うことができ、また雨の浸入を防止できる換気用ベントキャップを提供することを目的としている。
【課題を解決するための手段】
【００１２】
本発明の換気用ベントキャップは上記目的を達成するために、建物の外壁内に設けられて室内側と室外側を連通するダクト内に嵌挿される本体筒部と、本体筒部の室外側端部に支持部材を介して室外に設けられる遮蔽部とを備えた換気用ベントキャップであって、前記本体筒部の室外側開口部から室外側に突出させて円筒状のカラーが設けられ、前記カラーは本体筒部と軸心が一致し、かつその前縁が前記遮蔽部と略同一径としたものである。
【００１３】
また、他の手段は、カラーは、本体筒部の室外側開口部から室外側へ突出している略同一径の円筒である第１のカラー部と、前記第１のカラー部から延設されて遮蔽部側に拡大径となる第２のカラー部とからなるものである。
【００１４】
また、他の手段は、遮蔽部は外周縁から中心部に向かうにしたがって室内側に厚みが増加する突形状部を有したものである。
【００１５】
また、他の手段は、本体筒部の室外側開口部の室外側に外径が遮蔽部の径より小さく、かつ内径が本体筒部の内径より大きい枠部を設けたものである。
【発明の効果】
【００１６】
本発明によれば、室内からの空気が汚れを含んだ排気流であっても、排気流は円筒状のカラーに案内されて流れ、遮蔽部の外周縁から離れる際には反外壁側に流れるため、排気流が外壁に当たらず、排気流によって外壁面が汚れるのを防止できる。また換気用ベントキャップを正面から見たとき、カラーは遮蔽部と略同一径であるので排気流によってカラー内部に付着した汚れを見せることもない。さらに雨が侵入しにくく、このような３つの効果をともに秦する換気用ベントキャップが得られる。
【００１７】
また、雨が降ったとき、遮蔽部側に拡大径となる第２のカラー部と、略同一径の第１のカラー部とからなるカラーによって、雨水を換気用ベントキャップの内部に侵入させることがないため、雨水が室内に侵入するのを防止することができる。
【００１８】
また、室内からの汚れた排気流が本体筒部を通り遮蔽部に当たる際、室内側に厚みが増加する突形状部の面に沿ってガイドされ、排気流が遮蔽部の外周から離れる際に、外周方向よりも室外側に角度を有して流れるため、排気流が外壁側にもどらず、排気流による外壁の汚れを防止できる。
【００１９】
また、遮蔽部とカラーの前縁との間から侵入した雨水は本体筒部の前面部に付着するが、付着した雨水は本体筒部の開口部の室外側に設けた枠部によって、本体筒部の開口部に侵入することがないため、雨水が室内に侵入するのを防止することができる。
【発明を実施するための最良の形態】
【００２０】
本発明の換気用ベントキャップは、
建物の外壁内に設けられて室内側と室外側を連通するダクト内に嵌挿される本体筒部と、本体筒部の室外側端部に支持部材を介して室外に設けられる遮蔽部とを備えた換気用ベントキャップであって、前記本体筒部の室外側開口部から室外側に突出させて円筒状のカラーが設けられ、前記カラーは本体筒部と軸心が一致し、かつその前縁が前記遮蔽部と略同一径であるとともに、前記遮蔽部は外周縁から中心部に向かうにしたがって室内側に厚みが増加する突形状部を有するものであり、換気口の前面に遮蔽板があっても、排気流が遮蔽板によって跳ね返されないで外壁を汚すのを防止でき、さらにまた、排気流は円筒状のカラーに案内されて流れ、遮蔽部の外周縁から離れる際には反外壁側に流れるため、排気流が外壁に当たらず、排気流によって外壁面が汚れるのをさらに防止でき、また正面から換気用ベントキャップを見ても、カラーは遮蔽部と略同一径であるので排気流によってカラー内部に付着した汚れを見せることもないものであり、汚れた部位を覆うことができ、また雨の浸入を防止できる換気用ベントキャップが得られる。
【００２１】
また、カラーは、本体筒部の室外側開口部から室外側へ突出している略同一径の円筒である第１のカラー部と、前記第１のカラー部から延設されて遮蔽部側に拡大径となる第２のカラー部とからなるものであり、雨が降ったとき雨はカラーの外周にかかるが、第２のカラー部が本体筒部に向けて径縮小となっているので、雨水は第１のカラー部の方へ流れ、第１のカラー部においては、その外周に沿って流れ、左右から下に滴下する。雨水は、カラーの前縁から後側にたれて流れるので、換気用ベントキャップの内部に侵入することがなく、雨水が室内に侵入するのを防止することができることとなる。
【００２２】
また、第２のカラー部が室外側に広がっているため、排気流が遮蔽部の外周から流れ出る際には室外側に向く風向成分をもつようになっており、外壁側に向かうのを低減し、外壁面が汚れるのを防止できる。
【００２４】
また、本体筒部の室外側開口部の室外側に外径が遮蔽部の径より小さく、かつ内径が本体筒部の内径より大きい枠部を設けたものであり、遮蔽部とカラーの前縁との間から侵入した雨水は本体筒部の前面部に付着するが、付着した雨水は枠部の外周に沿って流れ、左右から滴下し、本体筒部の開口部に侵入することがないため、カラー内部に侵入してしまった雨でも室内に侵入するのを防止することができる。
【００２５】
以下、本発明の実施の形態について図面を参照しながら説明する。
【００２６】
（実施の形態１）
図１に示すように、建物の外壁１に設けられて室内２と室外３を連通するダクト４内に嵌挿される本体筒部５と、本体筒部５の室外側端部前方に支持部材６を介して室外３に設けられる遮蔽部７とを備えた構成であって、本体筒部５の室外側開口部９側の周縁１０には外壁面１ａに当接するフランジ１１が形成され、また室外側開口部９から室外３側に突出させて円筒状のカラー１２が設けられている。カラー１２は本体筒部５と軸心を一致させて設けられ、かつ、その前縁１３が遮蔽部７と略同一径となるよう形成されている。
【００２７】
上記構成において、換気をする場合、室内２の汚れた空気である排気流は、本体筒部５を通りカラー１２に案内されて遮蔽部７に到達し、遮蔽部７に沿って外方へ流れる。そして、排気流が遮蔽部７の外周縁１４から離れる際には、そのまま外周方向に向かって流れる。このとき、カラー１２の外周箇所である前縁１３は遮蔽部７の外周縁１４と略同一径となっているので、換気用ベントキャップを正面から見たとき、カラー１２の内面についた汚れが見えることがない。また、排気流が遮蔽部７の外周縁１４に到達したとき、遮蔽部７とカラー１２との間を通過するが、遮蔽部７の外周縁１４とカラー１２の前縁１３とから同時に離れるので、排気流はその主流を外壁１方向に向くことがない。このとき、仮にカラー１２の外周箇所である前縁１３が遮蔽部７の外周縁１４よりも内側に位置しているとすると、排気流は遮蔽部７の外周縁１４とカラー１２の前縁１３を通過する際に、遮蔽部７によって、外壁１側に排気流の主流が流れてしまうこととなる。しかし、本実施の形態１では排気流がカラー１２と遮蔽部７とから同時に離れるので、排気流の主流が外壁１に向かず、外壁面１ａが汚れるのを防止できることとなる。また、遮蔽部７の外周縁１４とカラー１２の外周である前縁１３とが略同一径であり、すなわち、カラー１２の前縁１３が遮蔽部７の外周縁１４よりも大きくないので、カラー１２の内側に雨が侵入するのを防止できる。
【００２８】
このように遮蔽部７とカラー１２とを略同一径とすることにより、排気流による外壁面１ａへの汚れ付着防止、カラー１２内部の汚れ目隠し、および雨水侵入防止の３つの効果をともに秦することができる。
【００２９】
なお、本実施の形態１では本体筒部５のフランジ１１を本体筒部５と一体の形状として図示したが、フランジ１１は、たとえば図２示すように、カラー１２の一部として形成しても、本来の作用効果に差異はない。
【００３０】
また、カラー１２は本体筒部５と別体として図示したが、両者を一体に形成してもよいことは、いうまでもない。
【００３１】
（実施の形態２）
図３に示すように、カラー１２Ａは本体筒部５に形成したフランジ１１の外周部から室外３側へ突出している略同一径の円筒である第１のカラー部１５と、第１のカラー部１５から延設されて遮蔽部７側に拡大径となる第２のカラー部１６とからなる。
【００３２】
上記構成において、雨が降ったとき、雨はカラー１２Ａの外周にかかるが、第２のカラー部１６が遮蔽部７側に径拡大、いいかえれば第２のカラー部１６が本体筒部５に向けて径縮小となっているので、第２のカラー部１６の上部は第１のカラー部１５に向けて雨水が流れる傾斜を有しており、雨水は第２のカラー部１６から第１のカラー部１５の方へ流れ、第１のカラー部１５の外周に沿って下方に流れ、そして図４に示す第１のカラー部１５の左右端１７に到達すると下方へ滴下する。このとき、室外から台風のような強い風が外壁面１ａに吹き付けても、カラー１２Ａから滴下した雨水は、カラー１２Ａの前縁１３よりも外壁面１ａ側で落ちるため、外壁面１ａに吹き付ける風に反して、遮蔽部７側に流れ、さらに、カラー１２Ａの前縁１３から侵入することはない。
【００３３】
このように、降雨時、台風のような強い風が吹いても、雨が本体筒部５の内部に入ることがなく、雨水が室内に侵入するのを防止することができる。
【００３４】
また、カラー１２Ａは遮蔽部７側で第２のカラー部１６が径拡大として広がっているため、排気流が遮蔽部７に到達する直前に第２のカラー部１６の傾斜に沿って流れて、排気流は反外壁１側へ向かう方向成分をもつようになっており、遮蔽部７に到達して外周縁１４から風が出る際には、拡散し外壁１側に向かうのが低減される。このため、汚れた空気が外壁面１ａに当たるのを防止し、外壁面１ａが汚れるのを防止できる。
【００３５】
（実施の形態３）
実施の形態３は、図５に示すように、上記実施の形態２に対し、遮蔽部７Ａが外周縁１４Ａから中心部１８に向かうにしたがって室内２側に厚みが増加する突形状部１９を有している点に特徴がある。
【００３６】
上記構成において、室内２からの汚れた排気流は、本体筒部５を通り遮蔽部７Ａに当たる際、突形状部１９の面に沿ってガイドされ、そして、排気流は遮蔽部７Ａの外周縁１４Ａから離れる際、外周方向よりも室外３側に角度を有して流れるため、排気流が外壁１側にもどらず、排気流による外壁面１ａの汚れ防止ができる。
【００３７】
また、遮蔽部７Ａの突形状部１９のテーパ面２０と第２のカラー部１６のテーパ面２１の両方によって排気流が整流され、その吹き出し角度が反外壁１方向へ吹き出されるように決まり、より一層壁の汚れ防止効果が高まることとなる。
【００３８】
（実施の形態４）
実施の形態４は、図６に示すように、上記実施の形態１に対し、本体筒部５の室外側開口部９の室外側に、外径が遮蔽部７より小さく、かつ内径が本体筒部５の内径より大きい枠部２２を設けた点に特徴がある。
【００３９】
上記構成において、遮蔽部７とカラー１２との間から侵入した雨は、本体筒部５の前面部２３に付着するが、付着した雨水は枠部２２の外周に沿って流れ、外周の左右端から滴下し、本体筒部５の室外側開口部９に侵入することがないため、カラー１２の内部に侵入してしまった雨でも、室内に侵入するのを防止することができることとなる。
【産業上の利用可能性】
【００４０】
本発明にかかる換気用ベントキャップは、排気流による外壁の汚れ防止、換気用ベントキャップ内面の汚れを見せない、風雨の侵入防止、という３つの効果をともに秦し、建物の外壁に装着される換気用ベントキャップとして有用である。
【図面の簡単な説明】
【００４１】
【図１】本発明の実施の形態１の換気用ベントキャップの設置状態を示す断面図
【図２】同換気用ベントキャップの別の構成を示す断面図
【図３】本発明の実施の形態２の換気用ベントキャップの設置状態を示す断面図
【図４】同換気用ベントキャップの斜視図
【図５】本発明の実施の形態３の換気用ベントキャップの設置状態を示す断面図
【図６】本発明の実施の形態４の換気用ベントキャップの設置状態を示す断面図
【図７】従来の換気用ベントキャップを示す断面図
【図８】従来の他の換気用ベントキャップを示す断面図
【符号の説明】
【００４２】
１      外壁
１ａ    外壁面
２      室内
３      室外
４      ダクト
５      本体筒部
６      支持部材
７      遮蔽部
７Ａ    遮蔽部
９      室外側開口部
１２    カラー
１２Ａ  カラー
１３    前縁
１４Ａ  外周縁
１５    第１のカラー部
１６    第２のカラー部
１８    中心部
１９    突形状部
２２    枠部
【図１】
0004930351.tif 000002
【図２】
0004930351.tif 000003
【図３】
0004930351.tif 000004
【図４】
0004930351.tif 000005
【図５】
0004930351.tif 000006
【図６】
0004930351.tif 000007
【図７】
0004930351.tif 000008
【図８】
0004930351.tif 000009